(57)【特許請求の範囲】
【請求項１】
ワックスが付着している被洗浄物を、オクタノール、３、５、５−トリメチル−１−ヘキサノール、２−エチル−１−ヘキサノール、３−メトキシブタノール、および３−メチル−３−メトキシブタノールよりなる群より選ばれた少なくとも１種の１価アルコール８０〜９５質量％と、乳酸エチル、α−ヒドロキシイソ酪酸メチル、β−メトキシイソ酪酸メチル、テトラリン、シクロヘキサノン、アセトフェノン、およびジベンジルエーテルからなる群から選ばれた少なくとも一種の化合物５〜２０質量％とを含有する洗浄剤に浸漬し、超音波処理することを特徴とするワックスの洗浄方法。
【発明の詳細な説明】
【０００１】
【産業上の利用分野】
本発明は、ワックスの洗浄剤及び洗浄方法に関するものであり、更に詳しくは精密機械部品のワックスの洗浄除去に適した洗浄剤及び洗浄方法に関する。
【０００２】
【従来の技術およびその問題点】
一般に、磁気ヘッドや水晶振動子の製造プロセスにおいてはワックスの使用は不可欠である。例えば、磁気ヘッドの製造では、小さなブロック材料に高精度の成形加工やラップ加工をしなければならない。直接チャックするのが困難な小さな材料が多いので、金属ブロックの治具にワックスで貼り付けて取り扱うのが一般的である。したがって、一連の加工を終えたら治具から剥離し付着してくるワックスを洗浄除去する必要がある。
【０００３】
従来、このワックスを洗浄するにあたっては、ワックスの溶解力の大きい１，１，１−トリクロルエタン、トリクロルエチレン、塩化メチレンあるいはトリクロロトリフルオロエタン（フロン−１１３）などのハロゲン化炭化水素を主剤としたものを用い、浸漬洗浄、蒸気洗浄もしくはその両者の併用による洗浄処理が行われてきた。
【０００４】
しかし、これらハロゲン化炭化水素系溶剤は沸点が比較的低いため、ワックスの融点が高い場合は溶解力に欠け、清浄度が十分に得られないことがあった。また、これらのハロゲン化炭化水素系の溶剤は人体に対する毒性が懸念されるうえ、オゾン層破壊という地球環境保全面での問題も生じ、その使用が規制されつつある。
【０００５】
このように、当業技術分野では、非ハロゲン系溶剤を主成分とし、人体に対する毒性や安全性上の問題がなく、環境破壊製物質の大気及び水系への排出がなく、しかも各種ワックス類に対し高い溶解力を有するワックス洗浄剤の開発が重要な課題になっている。
【０００６】
【発明が解決しようとする課題】
本発明は、上記のような従来の問題点を解消するためになされたもので、前述したような従来のワックスの洗浄剤及び洗浄方法の持つ欠点を克服し、低毒性で安全な溶媒系からなり、ワックスの洗浄能力が高く、環境破壊物質の生成が無く、不快臭も無く、また洗浄ムラが無く、操作も簡便で人手があまりかからないというワックスの洗浄剤及びそれを用いた洗浄方法を提供することを目的としてなされたものである。
【０００７】
【課題を解決するための手段】
本発明者らは、低毒性で、ワックスに対する溶解性が高く洗浄力も優れているワックスの洗浄剤を開発すべく鋭意研究を重ねた結果、炭素数４〜１０の１価アルコール類がワックスの洗浄剤として優れた溶解性を示すことを見出した。また、該アルコール類は超音波処理と併用することにより、一層良好な洗浄性能を与え、上記の目的に適合することを見出した。本発明はこのような知見に基づいてなされたもである。
【０００８】
すなわち、本発明は、「ワックスが付着している被洗浄物を、オクタノール、３、５、５−トリメチル−１−ヘキサノール、２−エチル−１−ヘキサノール、３−メトキシブタノール、および３−メチル−３−メトキシブタノールよりなる群より選ばれた少なくとも１種の１価アルコール８０〜９５質量％と、乳酸エチル、α−ヒドロキシイソ酪酸メチル、β−メトキシイソ酪酸メチル、テトラリン、シクロヘキサノン、アセトフェノン、およびジベンジルエーテルからなる群から選ばれた少なくとも一種の化合物５〜２０質量％とを含有する洗浄剤に浸漬し、超音波処理することを特徴とするワックスの洗浄方法。」に関する。
【０００９】
本発明は、ワックス付着被洗浄物を、特定のアルコールと特定化合物の特定組成よりなる洗浄剤中に浸漬し、超音波処理を併用して洗浄する点に特徴がある。
【００１０】
以下、本発明を詳細に説明する。
本発明の対象となるワックスとしては、植物系ワックス、動物系ワックス、石油ワックス、鉱物系ワックスなどの天然ワックス、合成炭化水素ワックス、変性ワックス、水素化ワックスなどの合成ワックスなど、いずれのワックスに対しても有効である。
【００１１】
本発明におけるワックスの洗浄剤は、炭素数４〜１０の１価アルコール類を有効成分として含有することが重要な点である。
【００１２】
アルコールとしては、ブタノール、ペンタノール、ヘキサノール、ヘプタノール、オクタノール、ノナノール、デカノール、３−メチルブタノール、３−メトキシブタノール、３−メチル−３−メトキシブタノール、３，５，５−トリメチル−１−ヘキサノール、２−エチル−１−ヘキサノール、シクロヘキサノール、ベンジルアルコール、エチレングリコールモノメチルエーテル、エチレングリコールモノエチルエーテル、エチレングリコールモノブチルエーテル、プロピレングリコールモノメチルエーテル、プロピレングリコールモノエチルエーテル、プロピレングリコールモノブチルエーテル、ジエチレングリコールモノメチルテル、ジエチレングリコールモノエチルエーテル、ジエチレングリコールモノブチルエーテルなどが挙げられる。特にオクタノール、、ノナノール、デカノール、２−エチル−１−ヘキサノール、３−メトキシブタノール、３−メチル−３−メトキシブタノールまたは３，５，５ートリメチルー１ーヘキサノールが洗浄力の点から好ましい。これらのアルコールは単独で用いても良いし、また２種類以上を組み合わせて用いても良い。
【００１３】
本発明に用いられるアルコールは、エステル、ケトン、アミド、芳香族などの他の有機溶剤とも良く相溶し、通常の有機化合物はもとより、ワックスに対しても極めて優れた溶解性を有する。このため、本発明のワックス洗浄剤に用いられるアルコールは単独で使用しても良いが、他の一般有機溶剤を併用した混合物として使用することもできる。
【００１４】
併用される有機溶剤は特に制限されるものではなく、水、上記以外のアルコール類、エステル類、エーテル類、ケトン類、アミド類、芳香族炭化水素類など幅広く使用できるが、好ましいものとしては例えば、水、α−メトキシイソ酪酸メチル、α−メトキシイソ酪酸エチル、α−エトキシイソ酪酸メチル、α−エトキシイソ酪酸エチル、β−メトキシイソ酪酸メチル、β−メトキシイソ酪酸エチル、β−エトキシイソ酪酸メチル、β−エトキシイソ酪酸エチル、酢酸メチル、酢酸エチル、酢酸ブチル、酢酸アミル、酢酸イソアミル、３−メトキシブチルアセテート、３−メチル−３−メトキシブチルアセテート、β−メトキシプロピオン酸メチル、β−エトキシプロピオン酸エチル、２−エチルヘキシルアセテート、シクロヘキシルアセテート、ベンジルアセテート、メタノール、エタノール、イソプロパノール、乳酸メチル、乳酸エチル、乳酸ブチル、α−ヒドロキシイソ酪酸メチル、α−ヒドロキシイソ酪酸エチル、エチレングリコール、ジエチレングリコール、プロピレングリコール、ジプロピレングリコール、ジプロピレングリコールモノメチルエーテル、ジプロピレングリコールモノエチルエーテル、ジプロピレングリコールモノブチルエーテル、グリセリン、メチルイソブチルケトン、シクロヘキサノン、イソホロン、アセトフェノン、Ｎ−メチルピロリドン、ジメチルホルムアミド、ジメチルアセトアミド、ジベンジルエーテル、プロピレングリコールモノメチルエーテルアセテート、トルエン、キシレン、テトラリンなどが挙げられる。特に好ましくは、α−メトキシイソ酪酸メチル、α−メトキシイソ酪酸エチル、α−エトキシイソ酪酸メチル、α−エトキシイソ酪酸エチル、β−メトキシイソ酪酸メチル、β−メトキシイソ酪酸エチル、β−エトキシイソ酪酸メチル、β−エトキシイソ酪酸エチル、乳酸メチル、乳酸エチル、乳酸ブチル、α−ヒドロキシイソ酪酸メチル、α−ヒドロキシイソ酪酸エチル、シクロヘキサノン、アセトフェノン、ジベンジルエーテル、テトラリンなどが挙げられる。これらの有機溶剤は単独で用いても良いし、また２種類以上を組み合わせて用いても良い。
【００１５】
また、洗浄力向上のため、ノニオン系界面活性剤、アニオン系界面活性剤、またはカチオン系界面活性剤などの界面活性剤や、酸性化合物または塩基性化合物を必要により併用することもできる。
【００１６】
本発明のワックス洗浄剤中におけるアルコール類の含有量はその用途や配合などにより異なるが、通常は６０重量％以上、好ましくは８０重量％以上、特に好ましくは９０重量％以上である。また、併用される有機溶剤は洗浄性の向上のためには、４０重量％以下、好ましくは２〜１０重量％の範囲とするのがよい。
【００１７】
また、本発明におけるワックス洗浄方法は、上記のアルコール類を有効成分とする溶剤にワックスが付着した被洗浄物を浸漬し、揺動、噴流などにより洗浄するが、超音波をかけて洗浄処理するのが特に効果的であり好ましい。
【００１８】
超音波による洗浄処理は、超音波発振機における定格出力が、超音波発振機の単位底面積当たり０．１〜２．０ワット／ｃｍ2 、好ましくは０．３〜１．５ワット／ｃｍ2 の範囲、特に好ましくは０．５〜１．２ワット／ｃｍ2 の範囲、発振周波数が１０〜２００ＫＨｚ、好ましくは２０〜１００ＫＨｚの範囲、特に好ましくは２５〜５０ＫＨｚの範囲で行うのがよい。
【００１９】
【実施例】
以下、本発明を実施例及び比較例によって具体的に説明するが、本発明は以下の実施例に何ら限定されるものではない。
【００２０】
実施例１〜１０
幅１ｃｍ、長さ１０ｃｍのＳＵＳー３１６製テストピースに下記Ａ又はＢのワックスを２．０ｇ乗せ、ホットプレート上で約７０℃に加熱、溶融させた後、一昼夜放置したものをテスト用部品として用いた。
Ａ  ：  マグトロンワックスＧ−４（日化精工社製）
Ｂ  ：  スカイワックス４１５（日化精工社製）
ワックスを塗布したテスト用部品を、本発明の組成のワックス洗浄剤の入った超音波洗浄機中に投入、浸漬し、室温下で１０分間超音波をかけ洗浄処理を行った。処理後、テスト用部品に付着している溶剤を乾燥させた後、ワックスの洗浄率を測定し、評価した。洗浄率は洗浄前後の重量変化で算出し、判定は以下の通りとした。
◎  ：  洗浄率１００％
○  ：  洗浄率９５％以上
△  ：  洗浄率８０％以上
×  ：  洗浄率８０％未満
超音波洗浄機；定格出力０．５ワット／ｃｍ２、発振周波数３８ＫＨｚ
結果は表１にまとめて示した。
【００２１】
実施例１１〜１３
超音波を使用せず、浸漬処理のみで洗浄した以外は実施例１〜１０と同様な方法でワックスの洗浄率を測定し、評価した。結果は表１に示した。
【００２２】
【表１】
0003638989.tif 000002
0003638989.tif 000003
【００２３】
比較例１〜４
従来使われているような組成のワックス洗浄剤を用いた以外は実施例１〜１０と同様な方法でワックスの洗浄率を測定し、評価した。結果は表２に示した。
【００２４】
比較例５〜８
超音波処理を行わず、また、従来使われているような組成のワックス洗浄剤を用いた以外は実施例１〜１０と同様な方法でワックスの洗浄率を測定し、評価した。結果は表２に示した。
【００２５】
【表２】
0003638989.tif 000004
【００２６】
【発明の効果】
本発明のワックス洗浄剤は、ワックスに対する溶解性が極めて高く、洗浄除去能力に優れている。その上、不快臭が無く、環境保安上の問題も無い。また、本発明の洗浄方法によれば、操作が容易である上、洗浄ムラも無く、効果的にワックスを洗浄除去することができる。